(57)【要約】【課題】電池を電源として負荷を駆動する場合において、負荷を駆動するための指示信号が入力されていない時の消費電流を削減する。【解決手段】電池を電源とする負荷の動作を制御する負荷制御回路において、電流が供給されることによって前記負荷を駆動する駆動回路と、前記電池を電源として前記駆動回路を動作させるための前記電流を出力する第１の電流源と、前記負荷の駆動するための指示信号が入力された場合、前記第１の電流源から前記駆動回路への電流の供給を許可する第１の駆動制御回路と、前記電池を電源として、前記指示信号が入力された場合は前記第１の電流源を動作させ、前記指示信号が入力されない場合は前記第１の電流源の動作を停止させる第１の電流制御回路と、を備える。【選択図】  図１
2006217282.tif 000002
【特許請求の範囲】
【請求項１】
電池を電源とする負荷の動作を制御する負荷制御回路において、
電流が供給されることによって前記負荷を駆動する駆動回路と、
前記電池を電源として前記駆動回路を動作させるための前記電流を出力する第１の電流源と、
前記負荷の駆動するための指示信号が入力された場合、前記第１の電流源から前記駆動回路への電流の供給を許可する第１の駆動制御回路と、
前記電池を電源として、前記指示信号が入力された場合は前記第１の電流源を動作させ、前記指示信号が入力されない場合は前記第１の電流源の動作を停止させる第１の電流制御回路と、
を備えることを特徴とする負荷制御回路。
【請求項２】
請求項１に記載の負荷制御回路であって、
前記第１の電流制御回路は、
前記電池を電源とする第２の電流源と、
前記第２の電流源から出力される電流により動作し、前記第１の電流源を動作させるための電流を出力する第３の電流源と、
前記指示信号が入力された場合は前記第２の電流源から前記第３の電流源への電流の供給を許可し、前記指示信号が入力されない場合は前記第２の電流源から前記第３の電流源への電流の供給を禁止する第２の電流制御回路と、
を有することを特徴とする負荷制御回路。
【請求項３】
請求項１又は２に記載の負荷制御回路であって、
前記電池の電圧と所定の電圧とを比較する電圧比較回路と、
前記電池の電圧が前記所定の電圧以下であることを前記電圧比較回路の比較結果が示す場合、前記指示信号にかかわらず、前記第１の電流源から前記駆動回路への電流の供給を禁止する第２の駆動制御回路と、
を更に備えることを特徴とする負荷制御回路。
【発明の詳細な説明】
【技術分野】
【０００１】
本発明は、電池を電源とする負荷の動作を制御する負荷制御回路に関する。
【背景技術】
【０００２】
電池を電源として動作する負荷として、例えば、ガスコンロの電磁弁がある。ガスコンロの場合、点火スイッチの操作に応じて、電磁弁を駆動する駆動回路に電流が供給され、電磁弁が開弁されてガスが放出される（例えば、特許文献１）。
【０００３】
図２は、このように電池を電源として電磁弁を制御する負荷制御回路１００の一般的な構成を示す図である。負荷制御回路１００は、抵抗１０１、ＮＰＮ型トランジスタ１０２〜１０８、及びＰＮＰ型トランジスタ１０９〜１１２を備えている。
【０００４】
ＮＰＮ型トランジスタ１０２のコレクタには、抵抗１０１を介して電池電圧Ｖｃｃから生成された定電圧Ｖｓが印加されている。そして、ＮＰＮ型トランジスタ１０２はダイオード接続され、そのベースがＮＰＮ型トランジスタ１０３のベースと接続されており、ＮＰＮ型トランジスタ１０２，１０３により電流ミラー回路が構成されている。
【０００５】
また、ＰＮＰ型トランジスタ１０９〜１１２のエミッタには電池電圧Ｖｃｃが印加されるとともに、ＰＮＰ型トランジスタ１０９はダイオード接続され、そのベースがＰＮＰ型トランジスタ１１０〜１１２のベースと接続されており、ＰＮＰ型トランジスタ１０９〜１１２により電流ミラー回路が構成されている。そして、ＰＮＰ型トランジスタ１０９のコレクタは、ＮＰＮ型トランジスタ１０３のコレクタと直列に接続されている。
【０００６】
入力Ａは点火スイッチ（不図示）と連動しており、点火スイッチがオンの時はＨＩＧＨレベルとなり、点火スイッチがオフの時はＬＯＷレベルとなる。つまり、入力ＡがＨＩＧＨレベルとは、負荷である電磁弁を駆動するための指示信号が入力されている状態であり、入力ＡがＬＯＷレベルとは、当該指示信号が入力されていない状態である。また、入力Ｂは電池の電圧を検知するコンパレータ（不図示）と接続されており、電池電圧Ｖｃｃが１．９Ｖ以下の時はＬＯＷレベルとなり、電池電圧Ｖｃｃが１．９Ｖを超える時（通常時）はＨＩＧＨレベルとなる。
【０００７】
そして、ＮＰＮ型トランジスタ１０４のベースに入力Ａが印加され、そのコレクタがＰＮＰ型トランジスタ１１０のコレクタと直列に接続されている。また、その接続点にＮＰＮ型トランジスタ１０５のベースが接続され、ＮＰＮ型トランジスタ１０５のコレクタがＰＮＰ型トランジスタ１１１のコレクタと直列に接続されている。同様に、ＮＰＮ型トランジスタ１０７のベースに入力Ｂが印加され、そのコレクタがＰＮＰ型トランジスタ１１２のコレクタと直列に接続されている。また、その接続点にＮＰＮ型トランジスタ１０６のベースが接続され、ＮＰＮ型トランジスタ１０６のコレクタがＰＮＰ型トランジスタ１１１のコレクタと直列に接続されている。そして、ＰＮＰ型トランジスタ１１１と、ＮＰＮ型トランジスタ１０５，１０６との接続点に、ＮＰＮ型トランジスタ１０８のベースが接続されている。
【０００８】
このような負荷制御回路１００において、入力ＡがＨＩＧＨレベルの場合、ＮＰＮ型トランジスタ１０４がオンとなり、ＮＰＮ型トランジスタ１０５がオフとなる。そして、入力ＡがＬＯＷレベルの場合、ＮＰＮ型トランジスタ１０４がオフとなり、ＮＰＮ型トランジスタ１０５がオンとなる。また、入力ＢがＨＩＧＨレベルの場合、ＮＰＮ型トランジスタ１０７がオンとなり、ＮＰＮ型トランジスタ１０６がオフとなる。そして、入力ＢがＬＯＷレベルの場合、トランジスタ１０７がオフとなり、ＮＰＮ型トランジスタ１０６がオンとなる。
【０００９】
したがって、入力Ａ及び入力ＢがともにＨＩＧＨレベルの場合、ＮＰＮ型トランジスタ１０５，１０６がともにオフとなる。そして、ＰＮＰ型トランジスタ１１１のコレクタ電流が電磁弁を駆動するコイルと接続されたＮＰＮ型トランジスタ１０８のベースに流れ込むことによってＮＰＮ型トランジスタ１０８がオンとなり、電磁弁が開弁されてガスが放出される。
【特許文献１】特開平１１−３０８７８４号公報
【発明の開示】
【発明が解決しようとする課題】
【００１０】
一方、図２に示した負荷制御回路１００においては、点火スイッチがオフの場合、つまり、電磁弁を駆動するための指示信号が入力されていない場合であっても、ＰＮＰ型トランジスタ１０９〜１１２で構成される電流ミラー回路には電流が流れることとなる。例えば、定電圧Ｖｓを１．５Ｖ、ＮＰＮ型トランジスタ１０２のベース・エミッタ間電圧を０．７Ｖ、抵抗１０１の抵抗値を４０ｋΩとすると、抵抗１０１を流れる電流値は（１．５Ｖ−０．７Ｖ）／４０Ｋ＝２０μＡとなる。そのため、ＮＰＮ型トランジスタ１０２と電流ミラー接続されたＮＰＮ型トランジスタ１０３のコレクタ電流は、ＮＰＮ型トランジスタ１０２とＮＰＮ型トランジスタ１０３とのサイズ比を例えば１：４とすると、８０μＡとなる。そして、ＰＮＰ型トランジスタ１０９〜１１２で構成される電流ミラー回路におけるサイズ比を例えば１：１：２：１とすると、ＰＮＰ型トランジスタ１１０のコレクタ電流は８０μＡ、ＰＮＰ型トランジスタ１１１のコレクタ電流は１６０μＡ、ＰＮＰ型トランジスタ１１２のコレクタ電流は８０μＡとなる。したがって、負荷制御回路１００には、点火スイッチがオフの場合であっても全体で４２０μＡの電流が流れることとなり、電池寿命が短くなるという不都合があった。
【００１１】
本発明は上記課題を鑑みてなされたものであり、電池を電源として負荷を駆動する場合において、負荷を駆動するための指示信号が入力されていない時の消費電流を削減することができる負荷制御回路を提供することを目的とする。
【課題を解決するための手段】
【００１２】
上記目的を達成するため、本発明の負荷制御回路は、電池を電源とする負荷の動作を制御する負荷制御回路において、電流が供給されることによって前記負荷を駆動する駆動回路と、前記電池を電源として前記駆動回路を動作させるための前記電流を出力する第１の電流源と、前記負荷の駆動するための指示信号が入力された場合、前記第１の電流源から前記駆動回路への電流の供給を許可する第１の駆動制御回路と、前記電池を電源として、前記指示信号が入力された場合は前記第１の電流源を動作させ、前記指示信号が入力されない場合は前記第１の電流源の動作を停止させる第１の電流制御回路と、を備えることとする。
【００１３】
また、前記第１の電流制御回路は、前記電池を電源とする第２の電流源と、前記第２の電流源から出力される電流により動作し、前記第１の電流源を動作させるための電流を出力する第３の電流源と、前記指示信号が入力された場合は前記第２の電流源から前記第３の電流源への電流の供給を許可し、前記指示信号が入力されない場合は前記第２の電流源から前記第３の電流源への電流の供給を禁止する第２の電流制御回路と、を有することとすることができる。
【００１４】
また、前記負荷制御回路は、前記電池の電圧と所定の電圧とを比較する電圧比較回路と、前記電池の電圧が前記所定の電圧以下であることを前記電圧比較回路の比較結果が示す場合、前記指示信号にかかわらず、前記第１の電流源から前記駆動回路への電流の供給を禁止する第２の駆動制御回路と、を更に備えることとすることもできる。
【発明の効果】
【００１５】
電池を電源として負荷を駆動する場合において、負荷を駆動するための指示信号が入力されていない時の消費電流を削減することができる。
【発明を実施するための最良の形態】
【００１６】
＝＝負荷制御回路の構成＝＝
図１は、本発明の一実施形態にかかる負荷制御回路１の構成を示す回路図である。負荷制御回路１は、ガスコンロに設けられた負荷である電磁弁１０及びコイル１１の動作を点火スイッチ２０の操作に応じて制御するための回路であり、その動作電源として、電池３０により供給される電圧Ｖｃｃ及び電圧Ｖｃｃをレギュレータ３１により変換して得られる定電圧Ｖｓが用いられている。
【００１７】
負荷制御回路１は、ＮＰＮ型トランジスタ４０〜５０、ＰＮＰ型トランジスタ６０〜６６、抵抗７０〜７２、及びコンパレータ８０を備えている。また、負荷制御回路１の入力端子９０は、ガスコンロの点火スイッチと連動している。点火スイッチ２０からは、点火スイッチがオンの時に例えばＨＩＧＨレベルの信号が出力され、点火スイッチがオフの時はＬＯＷレベルの信号が出力される。つまり、入力端子９０がＨＩＧＨレベルの時は電磁弁１０を駆動するための指示信号が入力されている状態であり、入力端子９０がＬＯＷレベルの時は当該指示信号が入力されていない状態である。
【００１８】
ＮＰＮ型トランジスタ４０，４１は電流ミラー接続されており、ダイオード接続されたＮＰＮ型トランジスタ４０のコレクタは抵抗７０を介して定電圧Ｖｓと接続され、ＮＰＮ型トランジスタ４０のエミッタは接地されている。また、ＰＮＰ型トランジスタ６０〜６２は電流ミラー接続されており、そのエミッタには電圧Ｖｃｃが接続され、ダイオード接続されたＰＮＰ型トランジスタ６０のコレクタは、ＮＰＮ型トランジスタ４１のコレクタと接続され、ＮＰＮ型トランジスタ４１のエミッタは接地されている。
【００１９】
なお、抵抗７０、ＮＰＮ型トランジスタ４０，４１、及びＰＮＰ型トランジスタ６０〜６２により、本発明の第２の電流源が構成される。ここで、例えば、定電圧Ｖｓを１．５Ｖ、抵抗７０の抵抗値を４０ｋΩ、ＮＰＮ型トランジスタ４０のベース・エミッタ間電圧を０．７Ｖとすると、抵抗７０を流れる電流値は、（１．５Ｖ−０．７Ｖ）／４０ｋΩ＝２０μＡとなる。そして、ＮＰＮ型トランジスタ４０，４１のサイズ比を例えば１：１とすると、ＮＰＮ型トランジスタ４１のコレクタ電流は２０μＡとなる。そして、電流ミラー接続されたＰＮＰ型トランジスタ６０〜６２のサイズ比を例えば１：１：１とすると、ＰＮＰ型トランジスタ６１，６２のコレクタ電流も２０μＡとなる。
【００２０】
ＮＰＮ型トランジスタ４４，４５は電流ミラー接続されており、ダイオード接続されたＮＰＮ型トランジスタ４４のコレクタはＰＮＰ型トランジスタ６２のコレクタに接続され、ＮＰＮ型トランジスタ４４のエミッタは接地されている。なお、ＮＰＮ型トランジスタ４４，４５は第２の電流源から出力される電流により動作するものであり、本発明の第３の電流源に該当する。
【００２１】
ここで、ＮＰＮ型トランジスタ４４，４５のサイズ比を例えば１：４とすると、ＮＰＮ型トランジスタ４４のコレクタ電流がＰＮＰ型トランジスタ６２のコレクタ電流である２０μＡである場合、ＮＰＮ型トランジスタ４５のコレクタ電流は８０μＡとなる。
【００２２】
ＮＰＮ型トランジスタ４２のベースは入力端子９０に接続され、ＮＰＮ型トランジスタ４２のコレクタはＰＮＰ型トランジスタ６１のコレクタに接続され、ＮＰＮ型トランジスタ４２のエミッタは接地されている。そして、ＮＰＮ型トランジスタ４３のベースは、ＰＮＰ型トランジスタ６１とＮＰＮ型トランジスタ４２との接続点に接続され、ＮＰＮ型トランジスタ４３のコレクタはＰＮＰ型トランジスタ６２のコレクタに接続され、ＮＰＮ型トランジスタ４３のエミッタは接地されている。なお、ＮＰＮ型トランジスタ４２，４３により、本発明の第２の電流制御回路が構成される。つまり、ＮＰＮ型トランジスタ４２，４３は、入力端子９０から指示信号が入力された場合は第２の電流源から第３の電流源への電流の供給を許可し、指示信号が入力されていない場合は第２の電流源から第３の電流源への電流の供給を禁止する。
【００２３】
また、抵抗７０、ＮＰＮ型トランジスタ４０〜４５、及びＰＮＰ型トランジスタ６０〜６２により、本発明の第１の駆動制御回路が構成されている。
【００２４】
ＰＮＰ型トランジスタ６３〜６６は電流ミラー接続されており、そのエミッタには電圧Ｖｃｃが接続され、ダイオード接続されたＰＮＰ型トランジスタ６３のコレクタは、ＮＰＮ型トランジスタ４５のコレクタと接続され、ＮＰＮ型トランジスタ４５のエミッタは接地されている。なお、ＰＮＰ型トランジスタ６３〜６６は、第３の電流源であるＮＰＮ型トランジスタ４４，４５から出力される電流により動作し、電磁弁１０を駆動させるための駆動回路であるＮＰＮ型トランジスタ５０を動作させるための電流を出力するものであり、本発明の第１の電流源に該当する。
【００２５】
ここで、ＰＮＰ型トランジスタ６３がオンの場合、ＰＮＰ型トランジスタ６３のコレクタ電流はＮＰＮ型トランジスタ４５のコレクタ電流と等しい８０μＡとなり、ＰＮＰ型トランジスタ６３〜６６のサイズ比を例えば１：１：２：１とすると、ＰＮＰ型トランジスタ６４，６６のコレクタ電流は８０μＡ、ＰＮＰ型トランジスタ６５のコレクタ電流は１６０μＡとなる。
【００２６】
ＮＰＮ型トランジスタ４６のベースは入力端子９０に接続され、ＮＰＮ型トランジスタ４６のコレクタはＰＮＰ型トランジスタ６４のコレクタに接続され、ＮＰＮ型トランジスタ４６のベースは接地されている。そして、ＮＰＮ型トランジスタ４７のベースは、ＰＮＰ型トランジスタ６４とＮＰＮ型トランジスタ４６との接続点に接続され、ＮＰＮ型トランジスタ４７のコレクタはＰＮＰ型トランジスタ６５のコレクタに接続され、ＮＰＮ型トランジスタ４７のエミッタは接地されている。なお、ＮＰＮ型トランジスタ４６，４７により、本発明の第１の駆動制御回路が構成される。つまり、ＮＰＮ型トランジスタ４６，４７は、入力端子９０から指示信号が入力された場合は、第１の電流源であるＰＮＰ型トランジスタ６３〜６６から駆動回路であるＮＰＮ型トランジスタ５０への電流の供給を許可する。
【００２７】
抵抗７１の一端には電圧Ｖｃｃが接続され、抵抗７１の他端は抵抗７２の一端と接続され、抵抗７２の他端は接地されている。そして、コンパレータ８０の反転入力端子には、抵抗７１と抵抗７２との接続点における電圧が印加され、その非反転入力端子には、基準電圧となる定電圧Ｖｓが印加されている。ここで、電圧Ｖｃｃが所定の電圧、例えば１．９Ｖ以下となった場合に、コンパレータ８０の出力電圧がＬＯＷレベルとなり、１．９Ｖを超えている場合に、コンパレータ８０の出力電圧がＨＩＧＨレベルとなるように、抵抗７１，７２の抵抗値が定められている。つまり、抵抗７１の抵抗値をＲ１、抵抗７２の抵抗値をＲ２とすると、１．９Ｖ×Ｒ２／（Ｒ１＋Ｒ２）＝１．５Ｖとなっている。なお、抵抗７１，７２及びコンパレータ８０により、本発明の電圧比較回路が構成されている。
【００２８】
ＮＰＮ型トランジスタ４９のベースには、コンパレータ８０の出力電圧が印加され、ＮＰＮ型トランジスタ４９のコレクタはＰＮＰ型トランジスタ６６のコレクタに接続され、ＮＰＮ型トランジスタ４９のエミッタは接地されている。そして、ＮＰＮ型トランジスタ４８のベースは、ＰＮＰ型トランジスタ６６とＮＰＮ型トランジスタ４９との接続点に接続され、ＮＰＮ型トランジスタ４８のコレクタはＰＮＰ型トランジスタ６５のコレクタに接続され、ＮＰＮ型トランジスタ４８のエミッタは接地されている。なお、ＮＰＮ型トランジスタ４８，４９により、本発明の第２の駆動制御回路が構成されている。つまり、第２の駆動制御回路を構成するＮＰＮ型トランジスタ４８，４９は、電池３０の電圧Ｖｃｃが所定の電圧以下である場合、入力端子９０からの指示信号にかかわらず、第１の電流源であるＰＮＰ型トランジスタ６３〜６６から駆動回路であるＮＰＮ型トランジスタ５０への電流の供給を禁止する。
【００２９】
そして、負荷となる電磁弁１０を駆動する駆動回路であるＮＰＮ型トランジスタ５０のベースは、ＰＮＰ型トランジスタ６５と、ＮＰＮ型トランジスタ４７，４８との接続点に接続されている。そして、ＮＰＮ型トランジスタ５０のコレクタは電磁弁１０を駆動するためのコイル１１に接続され、ＮＰＮ型トランジスタ５０のエミッタは接地されている。ＮＰＮ型トランジスタ５０がオンとなると、コイル１１に電流が流れることにより電磁弁１０が開弁される。
【００３０】
＝＝負荷制御回路の動作＝＝
次に、負荷制御回路１の動作について説明する。
【００３１】
（１）指示信号が入力されている場合
まず、点火スイッチ２０がオンの場合、つまり、入力端子９０に電磁弁１０を駆動するための指示信号が入力されている場合の動作について説明する。なお、電圧Ｖｃｃは１．９Ｖを超えており、コンパレータ８０の出力電圧はＨＩＧＨレベルであることとする。
【００３２】
この場合、ＮＰＮ型トランジスタ４２のベースにＨＩＧＨレベルの電圧が印加されるため、ＮＰＮ型トランジスタ４２はオンとなり、ＮＰＮ型トランジスタ４３はオフとなる。そして、ＮＰＮ型トランジスタ４３がオフとなることにより、ＮＰＮ型トランジスタ４４がオンとなり、ＮＰＮ型トランジスタ４４と電流ミラー接続されたＮＰＮ型トランジスタ４５もオンとなる。さらに、ＮＰＮ型トランジスタ４５がオンとなることにより、ＮＰＮ型トランジスタ４５と直列に接続されたＰＮＰ型トランジスタ６３がオンとなり、ＰＮＰ型トランジスタ６３と電流ミラー接続されたＰＮＰ型トランジスタ６４〜６６がオンとなる。
【００３３】
また、ＮＰＮ型トランジスタ４６のベースにＨＩＧＨレベルの電圧が印加されるため、ＮＰＮ型トランジスタ４６はオンとなり、ＮＰＮ型トランジスタ４７はオフとなる。また、ＮＰＮ型トランジスタ４９のベースにＨＩＧＨレベルの電圧が印加されるため、ＮＰＮ型トランジスタ４９がオンとなり、ＮＰＮ型トランジスタ４８がオフとなる。したがって、ＰＮＰ型トランジスタ６３〜６６により構成される第１の電流源が動作しており、かつ、ＮＰＮ型トランジスタ４７，４８がオフであるため、ＰＮＰ型トランジスタ６５のコレクタ電流がＮＰＮ型トランジスタ５０のベースに供給され、ＮＰＮ型トランジスタ５０がオンとなり、電磁弁１０が開弁される。
【００３４】
（２）指示信号が入力されていない場合
次に、点火スイッチ２０がオフの場合、つまり、入力端子９０に電磁弁１０を駆動するための指示信号が入力されていない場合の動作について説明する。
【００３５】
この場合、ＮＰＮ型トランジスタ４２のベースにＬＯＷレベルの電圧が印加されるため、ＮＰＮ型トランジスタ４２はオフとなり、ＮＰＮ型トランジスタ４３はオンとなる。そして、ＮＰＮ型トランジスタ４３がオンとなることにより、ＮＰＮ型トランジスタ４４がオフとなり、ＮＰＮ型トランジスタ４４と電流ミラー接続されたＮＰＮ型トランジスタ４５もオフとなる。さらに、ＮＰＮ型トランジスタ４５がオフとなることにより、ＮＰＮ型トランジスタ４５と直列に接続されたＰＮＰ型トランジスタ６３がオフとなり、ＰＮＰ型トランジスタ６３と電流ミラー接続されたＰＮＰ型トランジスタ６４〜６６がオフとなる。したがって、ＰＮＰ型トランジスタ６３〜６６により構成される第１の電流源の動作が停止しており、ＮＰＮ型トランジスタ４６〜４９はオフとなり、ＮＰＮ型トランジスタ５０もオフとなり、電磁弁１０は開弁されない。
【００３６】
この場合の消費電流は、ＮＰＮ型トランジスタ４０のコレクタ電流２０μＡ、ＮＰＮ型トランジスタ４１のコレクタ電流２０μＡ、ＰＮＰ型トランジスタ６１のコレクタ電流２０μＡ、及びＰＮＰ型トランジスタ６２のコレクタ電流２０μＡとなり、消費電流の合計は８０μＡのみとなる。
【００３７】
（３）電池の電圧が所定の電圧値以下の場合
次に、電池３０の電圧Ｖｃｃが１．９Ｖ以下となった場合の動作について説明する。この場合、コンパレータ８０の出力電圧はＬＯＷレベルとなり、ＮＰＮ型トランジスタ４９はオフとなる。そのため、点火スイッチ２０がオンで、ＰＮＰ型トランジスタ６５がオンの場合においては、ＮＰＮ型トランジスタ４８がオンとなり、ＰＮＰ型トランジスタ６５のコレクタ電流はＮＰＮ型トランジスタ５０に供給されず、電磁弁１０は開弁されない。また、点火スイッチ２０がオフの場合は、前述した通り、ＰＮＰ型トランジスタ６５がオフとなるため、ＮＰＮ型トランジスタ５０もオフとなり、電磁弁１０は開弁されない。
【００３８】
以上説明したように、本実施形態の負荷制御回路１によれば、点火スイッチ２０がオフで、電磁弁１０を駆動させるための指示信号が入力されていない場合の消費電流が、従来の４２０μＡから８０μＡに大幅に削減され、電池３０の寿命を延ばすことが可能となる。さらに、負荷制御回路１は、低消費電力となって発熱量が抑えられるため、集積回路化に適している。
【００３９】
また、このような負荷制御回路１において、コンパレータ８０を用いて電池３０の電圧Ｖｃｃが所定の電圧以下であるかどうかを検出し、電圧Ｖｃｃが所定の電圧以下である場合には、ＮＰＮ型トランジスタ４８，４９により、点火スイッチ２０がオンであってもＮＰＮ型トランジスタ５０への電流の供給を禁止することができる。これにより、電池３０の電圧低下に伴って負荷１０の動作が不安定となることを防止することができる。
【００４０】
以上、本発明の実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００４１】
例えば、本実施形態においては、負荷制御回路１によって制御される負荷をガスコンロの電磁弁１０としたが、負荷は電磁弁１０に限られず、電池を電源とし、指示信号に応じて駆動するものであればよい。
【図面の簡単な説明】
【００４２】
【図１】本発明の一実施形態にかかる負荷制御回路の構成を示す回路図である。
【図２】従来の負荷制御回路の構成を示す回路図である。
【符号の説明】
【００４３】
１  負荷制御回路                        １０  電磁弁
１１  コイル                            ２０  点火スイッチ
３０  電池                              ３１  レギュレータ
４０〜５０  ＮＰＮ型トランジスタ        ６０〜６６  ＰＮＰ型トランジスタ
７０〜７２  抵抗                        ８０  コンパレータ
【図１】
2006217282.tif 000003
【図２】
2006217282.tif 000004